(57)【要約】両側面を開放するとともに、回転中に小動物の挙動に合わせて確実な支持ができ、円滑な回転が得られる回し車が開示される。本発明の一態様において、本発明の回し車は、小動物の運動に用いられる回し車であって、円筒形をなし、その内周部が前記小動物の運動路をなす回し車本体と、前記回し車本体の中心よりも上側であって、前記回し車本体の頂部から両側にそれぞれ離間した位置において前記回し車の内周から前記回し車本体を支持する２つのローラ部と、前記２つのローラ部を回転可能に支持する支持手段とを備えている。
2003056908.tif 000002
【特許請求の範囲】
【請求項１】
小動物の運動に用いられる回し車であって、
円筒形をなし、その内周部が前記小動物の運動路をなす回し車本体と、
前記回し車本体の中心よりも上側であって、前記回し車本体の頂部から両側にそれぞれ離間した位置において前記回し車の内周から前記回し車本体を支持する２つのローラ部と、
前記２つのローラ部を回転可能に支持する支持手段と、
を備えることを特徴とする回し車。
【請求項２】
前記ローラ部のそれぞれは、前記回し車本体の縁部に当接する２つの支持ローラを有する請求項１に記載の回し車。
【請求項３】
前記縁部には、前記内周側にレールが設けられている請求項２に記載の回し車。
【請求項４】
前記支持ローラには、前記レールと係合する溝が設けられている請求項３に記載の回し車。
【請求項５】
前記回し車本体の上部外周であって、前記２つのローラ部が概ね当接されている位置の間に当接し得るガイドをさらに備える請求項１乃至４のいずれかに記載の回し車。
【請求項６】
前記ガイドは、前記回し車本体の外周に当接する少なくとも一つの外側ローラである請求項５に記載の回し車。
【請求項７】
前記ガイド及びローラ部は一体的に構成されている請求項５又は６に記載の回し車。
【請求項８】
前記ローラ部は、前記回し車本体を構成する円の中心点を基準に、前記回し車本体が停止している状態で前記小動物が前記運動路を駆け登ることができる最上点における前記小動物の重心位置と概ね対称となる位置に配置される請求項１乃至７のいずれかに記載の回し車。
【請求項９】
前記内周部には、多数の小孔又は凹部が分散的に設けられている請求項１乃至８のいずれかに記載の回し車。
【請求項１０】
小動物の運動に用いられる回し車であって、
円筒形をなし、その内周部が前記小動物の運動路をなす回し車本体と、
前記回し車本体の中心よりも上側であって、前記回し車本体の頂部から両側にそれぞれ離間した位置において前記回し車の外周に当接する２つの外部ローラと、
前記回し車本体の概ね頂部において前記回し車の内周から前記回し車を支持する支持ローラと、
前記外部ローラ及び前記支持ローラを回転可能に支持する支持手段と、
を備えることを特徴とする回し車。
【請求項１１】
前記外部ローラ及び支持ローラ部のそれぞれは、前記回し車本体の縁部に当接する２つの支持ローラを有する請求項１０に記載の回し車。
【請求項１２】
前記縁部には、前記内周側にレールが設けられている請求項１１に記載の回し車。
【請求項１３】
前記支持ローラには、前記レールと係合する溝が設けられている請求項２に記載の回し車。
【請求項１４】
前記外部ローラは、前記回し車本体を構成する円の中心点を基準に、前記回し車本体が停止している状態で前記小動物が前記運動路を駆け登ることができる最上点における前記小動物の重心位置と概ね対称となる位置の前記回し車本体の外側に配置される請求項１０乃至１３のいずれかに記載の回し車。
【請求項１５】
前記内周部には、多数の小孔又は凹部が分散的に設けられている請求項１０乃至１４のいずれかに記載の回し車。
【発明の詳細な説明】
技術分野
本発明は、ハムスター、リス、フェレット、プレーリードック等の飼育用小動物の為の回し車に関する。
背景技術
従来、ハムスター等の小動物に利用されている回し車１００には、図１１に示すように、円筒形の回し車１０１の両開口部に略平行に２つの回転棒１０２を設け、この回転棒１０２を貫通するように軸１０３を設け、この軸１０３を下方斜めに伸ばして台枠１０４に連結させているものがあった。
しかし、この構造では、ハムスター等が回し車１０１が回転している状態でその回し車１０１から降りようとするとき、回転棒１０２と固定した台枠１０４との間に、首や足、尻尾等を挟んでしまい、骨折や内出血等の傷を負い易く、ハムスター等の小動物とは言え、飼い主には心の痛む問題であった。
そこで、これに対し、先の特開２００１−２０４２９１号には、「回し車内部の回転軸を、回し車内部の上壁に接近させる形で延長の加工を施し、その先端は回し車開口部をふさぐこと無く、回し車保持部へ到達させる回し車。」が提案されている。
しかし、この回し車は、回し車本体の片方が開放されでいる一方で、その開放側に回し車の支持が無いために、回し車の回転が不安定となり、円滑な回転が得られないという欠点を有していた。
発明の開示
本発明の目的は、回し車の両側面を開放することによって小動物の安全性を確保すると共に、その回転中にあっても小動物の挙動に合わせて確実な支持ができ、円滑な回転を得ることができる回し車を提供することにある。
上記目的を達成するために、本発明の回し車は、小動物の運動に用いられる回し車であって、円筒形をなし、その内周部が前記小動物の運動路をなす回し車本体と、前記回し車本体の中心よりも上側であって、前記回し車本体の頂部から両側にそれぞれ離間した位置において前記回し車の内周から前記回し車本体を支持する２つのローラ部と、前記２つのローラ部を回転可能に支持する支持手段とを備えることを特徴とする。
好ましくは、前記ローラ部のそれぞれは、前記回し車本体の縁部に当接する２つの支持ローラを有する。また、前記縁部には、前記内周側にレールが設けられていてもよい。この場合、好ましくは、前記支持ローラには、前記レールと係合する溝が設けられている。
また、本発明の回し車は、好ましくは、前記回し車本体の上部外周であって、前記２つのローラ部が概ね当接されている位置の間に当接し得るガイドをさらに備えていてもよい。
ここで、前記ガイドは、前記回し車本体の外周に当接する少なくとも一つの外側ローラであってもよく、それに加えて又はその代わりに、前記ガイド及びローラ部は一体的に構成されてもよい。
また、好ましくは、前記ローラ部は、前記回し車本体を構成する円の中心点を基準に、前記回し車本体が停止している状態で前記小動物が前記運動路を駆け登ることができる最上点における前記小動物の重心位置と概ね対称となる位置に配置されている。
さらに、好ましくは、前記内周部には、多数の小孔（運動路がパンチングボードを構成する）又は凹部（ディンプル形状）が分散的に設けられている。
また、本発明の他の態様では、本発明の回し車は、小動物の運動に用いられる回し車であって、円筒形をなし、その内周部が前記小動物の運動路をなす回し車本体と、前記回し車本体の中心よりも上側であって、前記回し車本体の頂部から両側にそれぞれ離間した位置において前記回し車の外周に当接する２つの外部ローラと、前記回し車本体の概ね頂部において前記回し車の内周から前記回し車を支持する支持ローラと、前記外部ローラ及び前記支持ローラを回転可能に支持する支持手段とを備えることを特徴とする。
好ましくは、前記外部ローラ及び支持ローラ部のそれぞれは、前記回し車本体の縁部に当接する２つの支持ローラを有する。また、前記縁部には、前記内周側にレールが設けられていてもよい。この場合、好ましくは、前記支持ローラには、前記レールと係合する溝が設けられている。
さらに、好ましくは、前記外部ローラは、前記回し車本体を構成する円の中心点を基準に、前記回し車本体が停止している状態で前記小動物が前記運動路を駆け登ることができる最上点における前記小動物の重心位置と概ね対称となる位置の前記回し車本体の外側に配置される。
また、好ましくは、前記内周部には、多数の小孔（運動路がパンチングボードを構成する）又は凹部（ディンプル形状）が分散的に設けられている。
発明を実施するための最良の形態
以下、本発明の回し車を添付図面に示す好適実施形態に基づいて詳細に説明する。
まず、図１〜図３を参照して、本発明の第１の実施形態について説明する。図１は、本発明の第１実施形態における回し車の側面図であり、図２は、図１に示す線Ｉ−Ｉ’において切られた回し車の断面図であり、図３は、図１の回し車の上面図である。
第１実施形態における回し車１は、回し車本体１０と、２つのローラ部２０と、この２つのローラ部２０を回転可能に支持する支持手段５０とから構成される。
回し車本体１０は、図１に示すように、小動物の運動に適した直径を有する円形の開口部を有する円筒形の枠体である。また、回し車本体１０は、図２に示すように、ローラ部２０を構成する後述の支持ローラ２１，２２，２４，２５に刻んだ溝２１ａ，２２ａ，２４ａ，２５ａと係合する形状のレール１１，１２を小動物が運動する運動路１３の左右の縁部に配設されている。
レール１１，１２は、具体的には、その断面の直径が５ｍｍ程度の円形の枠材を、その小動物の大きさに合わせて、直径５０ｍｍ〜６００ｍｍ程度の大きさの円として形成されたものである。但し、このレール１１，１２の断面の形状や大きさは、支持ローラ２１，２２，２４，２５の溝と係合するレールとして機能するものならこれに限定されるものではなく、例えば、引き戸レールの形態のものも含まれる。
そして、小動物の運動路１３としては、図１１に示した従来の回し車のように、左右に配したレール１１，１２の間に通常の針金を渡架させたものでもよいが、望ましくは、小さな孔１３ａを多数分散させて設けた板体（パンチングボードと呼ばれる）、あるいは、ゴルフボールの表面のように小さなくぼみを多数分散させて設けた板体から構成される。なぜならば、運動路１３が通常の針金等で形成されると、針金と針金との間に間隙がありすぎて、小動物の足がその隙間に落ち込んで爪が剥がれたり骨折を起こしたりすることがあるためである。運動路１３を、例えば、直径２ｍｍ程度の円孔又は円凹のパンチングボード又はディンプル形状の板体とすれば、小動物の脚がその円孔などに十分に引っ掛かるので、小動物が足などを骨折等する心配がない。
２つの支持ローラ２０は、図３に示すように、回し車本体１０の縁部に配置されたレール１１，１２にそれぞれ係合する、溝２１ａ、２４ａをそれぞれ刻んだ２つの支持ローラ２１，２４と、溝２２ａ，２５ａをそれぞれ刻んだ２つの支持ローラ２２，２３とからなる。なお、図示していないが、２つの支持ローラ２１，２４又は２２，２３を結合するための連結棒をそれぞれの間に備えていてもよい。
ここで、該支持ローラ２１，２２，２４，２５を配設する位置は、図１に示すように、回し車本体１０を構成する円の中心点を基準に、回し車本体１０が停止している状態でハムスター等の小動物が運動路１３を駆け登ることができる最上点における小動物の重心位置と概ね対称となる位置に設定する。このため、２つのローラ部の配設される位置は、回し車本体１０の底部からみて概ね等しい高さとなるのが好ましいが、これに限定されず、回し車１が円滑に回転可能である限り、２つのローラ部が配設される高さがずれていてもよい。
また、２つの支持ローラ２０は、図１に示すように、回し車本体１０の中心、すなわち、一方の円形レール１１の中心よりも上側であって、その回し車本体１０の頂部から両側にそれぞれ離間した位置に配置される。そして、この２つの支持ローラ２０は、回し車本体１０の内周からこの回し車本体１０を支持する。
支持手段５０は、支持ローラ２１，２２，２４，２５を上記所定の位置で支持するためのものであり、図３に示すように、支持ローラ２１，２２と支持ローラ２４，２５とを別々に支持するように配置してもよく、あるいは、図３において、支持ローラ２２，２５の位置よりさらに延伸させて回し車本体１０の外側において結合し、すべての支持ローラ２１，２２，２４，２５を一体的に支持するように配置してもよい。
そして、この支持手段５０は、小動物用の飼育籠などに係着させるための籠係着杆３０に連結させる。この籠係着杆３０は、籠の側面に係着させるものを図示したが、これに限定されず、籠の上面から真下に吊り下げる態様等としてもよい。
次いで、本発明の第１実施形態の回し車１の作用を説明する。
まず、籠係着杆３０等を利用して本実施形態の回し車１をハムスター等の小動物の飼育籠に設置する。
そして、小動物が回し車１に乗ろうとすると、両側面が開放されて回転軸や軸杆が皆無であるので、その登り降りに際しても、まったく障害物がなく、尻尾を挟まれたり、あるいは骨折したりするなどのけがが皆無となる。
また、左右の両面が開放されているので、ハムスター等の小動物は、回し車１の左右のどちらからでも登り降りが自由にでき、運動の範囲（行動の範囲）が広がる。
さて、ハムスター等の小動物が回し車本体１０の運動路１３に乗って、例えば、図１においてＸ方向にランニング運動を開始すると、それに従って、回し車１の回し車本体１０が回転を始める。このとき、回し車本体１０は、レール１１，１２に係合した支持ローラ２１，２２，２４，２５の溝２１ａ，２２ｂ，２４ａ，２５ａを介して支えられ、支持ローラ２１，２２，２４，２５は、回し車本体１０に従動して回転する。
ここで、回し車本体１０のレール１１，１２は、支持ローラ２１，２２，２４，２５の溝２１ａ，２２ａ，２４ａ，２５ａと係合状態にあり、回転するローラのレールとして機能しているので、回し車１の回転を振れのない確実なものとすることができる。
そして、ハムスター等の小動物が回し車本体１０の運動路１３を駆け登って最上点に達するとき、その小動物の重心位置から両側のレールのそれぞれの中心点を介して対偶位置（対称となる位置）に支持ローラ２２，２５が配設されているので（図３参照）、レール１１，１２へのハムスター等の小動物による揺動に対し、対偶位置からの反作用が働いて、これを抑えることができる。そして、登板運動を終えて、後退した位置に小動物の重心が移動した場合、反対側に配した支持ローラ２１，２４が同様の作用を果たして回し車本体１０の揺動を抑える。
従って、一方の駆け登りの最上点と他方の駆け登り最上点に挟まれた領域で如何にハムスター等の小動物が激しい運動をしても、上記前後左右の支持ローラ２１，２２，２４，２５の協動作用により、回し車１は、揺動の少ない安定した回転をすることが可能である。
この駆け登りの最上点がどの程度の高さであるか、すなわち、各支持ローラがどの位置に配置されるかは、その小動物の回し車１における運動範囲を観察して経験則的に予め決定すべきものであるが、例えば、小動物がハムスターの場合には、対偶のなす角度、すなわち、図１に示す支持ローラ２１とレール１１の中心とを通る線分と、支持ローラ２２とレール１１の中心とを通る線分とのなす角度が約１２０度程度である。
また、上述のような小動物の回し車本体１０における運動方向前後の運動に加え、ハムスター等の小動物の重心位置が上記運動方向に対して左右に移動した場合には、回し車本体１０の左右に配されたレール１１，１２に係合している支持ローラ２１，２２，２４，２５と小動物の自重との５点からの支持作用が働き、回し車本体１０の揺動を抑える。
さらに、運動路１３を小さい孔１３ａが分散して穿設したパンチングボードやディンプル上の小凹が分散して配設されたものとすれば、ハムスター等の小さな脚でもその小孔等に落ち込むことがなく、小動物の爪の剥がれや骨折の恐れを解消することができる。
本実施形態の回し車１は、支持ローラ２１，２２，２４，２５が回し車本体１０の中心よりも上部で概ね平行に前後左右に４個配されて支持が確実なので、小動物のなかでも比較的身体の大きなプレーリードッグ等の動物に適したものである。
次に、図４〜図６を参照して、本発明の第２の実施形態について説明する。図４は、本発明の第２実施形態における回し車の側面図であり、図５は、図４に示す線ＩＩ−ＩＩ’において切られた回し車の断面図であり、図６は、図４の回し車の上面図である。
第１実施形態の場合と同様に、第２実施形態における回し車２は、回し車本体１０と、ローラ部２０とから構成される。なお、上記第１実施形態と同様の構成要素には同一の符号を付し、簡潔のためにその説明を省略する。
第２実施形態における回し車２は、回し車本体１０と、２つのローラ部２０と、外部ローラ２７（ガイド）と、これら２つのローラ部２０と外部ローラ２７を回転可能に支持する支持手段５０とから構成される。
外側ローラ２７は、回し車本体１０の上方への揺動を抑えるためのガイドであり、図４に示すように、レール１１の外側、すなわち、回し車本体１０の外側で、支持ローラ２１，２２に挟まれた位置（好ましくは、回し車本体１０の概ね頂部位置）において、運動路１３の板体に当接させて配置され、該回し車本体１０を外側から支えて円滑な回転に寄与する。
また、外側ローラ２７は、運動路１３の両側の各支持ローラ２１，２２，２４，２５を支持する支持手段５０，５０の間に渡した縦連結杆２８に回転可能に支持させる。以下、この縦連結杆８も含めて支持手段５０という。なお、支持手段５０は、図４〜６に示すように、支持ローラ２１，２２，２４，２５及び外部ローラ２７を一体的に支持してもよいが、各支持ローラ２１，２２，２４，２５又は外部ローラ２７を別々に支持する部材によってこれらを支持してもよい。
次いで、本実施形態の回し車２の作用を説明する。なお、外部ローラ２７の作用以外は第１実施形態と同様であるので、外部ローラ２７の作用を中心に説明し、その他は省略する。
ハムスター等の小動物が回し車本体１０の運動路１３に乗ってランニング運動を開始すると、それに従って、回し車１の回し車本体１０が回転を始める。このとき、回し車本体１０は、レール１１，１２に係合した支持ローラ２１，２２，２４，２５の溝２１ａ，２２ｂ，２４ａ，２５ａ及び該支持ローラ２１，２２，２４，２５の概ね中間で回し車本体１０の外側に配設された外部ローラ２７を介して支えられ、支持ローラ２１，２２，２４，２５及び外部ローラ２７は、回し車本体１０に従動して回転する。
上述の第１実施形態の場合と同様に、一方の駆け登りの最上点と他方の駆け登り最上点に挟まれた領域で如何にハムスター等の小動物が激しい運動をしても、上記前後左右の支持ローラ２１，２２，２４，２５及び外部ローラ２７の協動作用により、回し車１は、さらに揺動の少ない安定した回転をすることが可能である。
本実施形態の回し車２は、支持ローラ２１，２２，２４，２５が回し車本体１０の中心よりも上部で概ね平行に前後左右に４個配されており、さらに外側ローラ２７が配設されて支持が確実なので、小動物のなかでも比較的身体の大きなプレーリードッグ等の動物に適したものである。
次に、図７を参照して、本発明の第３の実施形態について説明する。図７は、本発明の第３実施形態における回し車の斜視図である。図７に示すように、本実施形態の回し車３は、回し車本体１０と、２つのローラ部２０と、この２つのローラ部２０を回転可能に支持する支持手段５０と、回し車本体１０の上方への揺動を抑えるガイド６０と、小動物用の飼育籠に係着させるための籠係着杆３０とから構成される。
ガイド６０は、上記第２実施形態における外部ローラ２７と同様に、回し車本体１０の上方への揺動を抑えるためのガイドであり、２つのローラ部２０（図７では、支持ローラ２１，２２）が回し車本体１０の内面に当接されている位置の間全体に当接し得るように配置される。すなわち、本実施形態では、ガイド６０は、回し車本体１０の運動路１３の外側に、所定の距離だけ離間されて配置されている。
また、ガイド６０は、図７に示すように、支持手段５０によって、支持ローラ２１，２２，２４，２５とともに一体的に支持されてもよく、支持ローラ２１，２２，２４，２５とは別々に支持されてもよい。
なお、本実施形態における回し車３の作用については、回し車本体１０の上方への揺動を抑えるガイドが外部ローラ２７からガイド６０に代わった点を除き、上述の第１又は第２の実施形態の場合と概ね同様であるので、その説明を省略する。
次に、図８〜図１０を参照して、本発明の第４の実施形態について説明する。図８は、本発明の第４実施形態における回し車の側面図であり、図９は、図８に示す線ＩＩＩ−ＩＩＩ’において切られた回し車の断面図であり、図１０は、図８の回し車の上面図である。
第４実施形態における回し車４は、回し車本体１０と、ローラ部４０と、このローラ部４０を支持する支持手段５０とから構成される。なお、第２及び第３の実施形態の場合と同様に、上述の実施形態と同様の構成要素には同一の符号を付し、簡潔のためにその説明を省略する。
ローラ部４０は、レール１１又は１２に係合される溝４４ａ，４５ａが刻まれた支持ローラ４４，４５と、回し車本体１０の運動路１３の板体に当接させる２つの外側ローラ４１，４２とから構成される。
図１０に示すように、２つの外側ローラ４１，４２は、連結杆４３で連結され、２つの支持ローラ４４，４５は、縦連結杆４６で連結される。これらの連結杆４３及び縦連結杆４６は、支持ローラ４４，４５及び外側ローラ４１，４２を回転可能に支持する支持手段５０を構成する。
なお、外側ローラ４１，４２を配設する位置は、第１実施形態における支持ローラ２１，２２，２４，２５を配設する位置と同様であり、図８に示すように、回し車４の回し車本体１０を構成する円の中心点を基準に、回し車本体１０が停止している状態でハムスター等の小動物が運動路１３を駆け登ることができる最上点における小動物の重心位置と概ね対称となる位置に設定する。このため、２つの外側ローラ４１，４２の配設される位置は、回し車本体１０の底部からみて概ね等しい高さとなるのが好ましいが、これに限定されず、回し車４が円滑に回転可能である限り、２つのローラ部が配設される高さがずれていてもよい。
なお、外側ローラ４１，４２は、支持ローラ４４，４５の配設位置に対して前後に１個ずつ配設される場合を図示したが、これに限定されず、例えば、その前後に２個ずつローラを並列させて設けるように構成されてもよい。
次いで、第４の実施形態の作用を説明する。上述の第１実施形態の場合と同様に、ハムスター等の小動物が回し車４に乗って第１実施形態と同様の方向にランニング運動を開始すると、それに従って回し車本体１０が回転を始める。このとき、回し車本体１０は、レール１１，１２に係合した支持ローラ４４，４５の溝４４ａ，４５ａを介して支えられ、支持ローラ４４，４５は、回し車本体１０に従動して回転する。また、該支持ローラ４４，４５の中間で回し車本体１０の運動路１３の外側は、これに当接した外側ローラ４１，４２が外側から回し車本体１０の回転を支えている。
ここで、回し車本体１０のレール１１，１２は、支持ローラ４４，４５の溝４４ａ，４５ａと係合状態にあり、回転するローラのレールとして機能しているので、回し車４の回転を振れのない確実なものとすることができる。
そして、ハムスター等の小動物が回し車本体１０の運動路１３を駆け登って最上点に達するとき、その小動物の重心位置から両側のレールのそれぞれの中心点を介して対偶位置（対称となる位置）に外側ローラ４２が配設されているので（図８参照）、回し車本体１０へのハムスターによる揺動に対し、対偶位置からの反作用が働いて、これを抑えることができる。そして、登板運動を終えて、後退した位置に小動物の重心が移動した場合、反対側に配した外側ローラ４１が同様に作用を果たして回し車本体１０の揺動を抑える。また、前後の外側ローラ４１，４２に挟まれた位置では、支持ローラ４４，４５の作用により、レール１１，１２の揺動が抑えられる。
従って、一方の駆け登りの最上点と他方の駆け登り最上点に挟まれた領域で如何にハムスター等の小動物が激しい運動をしても、運動路１３の左右の支持ローラ４４，４５と支持ローラ４４，４５の前後の外側ローラ４１，４２の協動作用により、回し車４は、揺動の少ない安定した回転をすることが可能である。
本実施形態の回し車４は、支持ローラ４４，４５が回し車本体１０の概ね頂部であって運動路１３の左右に２個のみ配設され、上述の第１〜第３の実施形態よりも少ないが、構造が簡潔で摩擦が少ないために、ハムスター等のより小さな動物に適したものである。
以上、本発明の回し車を図示の各実施形態に基づいて説明したが、本発明は、これに限定されるものではなく、回し車を構成する各部は、以下の請求の範囲で画定される本発明の精神及び範囲を逸脱することなく、同様の機能を発揮し得る任意の構成のものと置換することができる。また、任意の構成物が付加されていてもよい。
産業上の利用の可能性
本発明の回し車では、障害物のない左右両側が開放された回し車にハムスター等の小動物が乗り降りできるので、従来の乗り降りの際の擦り傷や骨折等のけがを皆無とすることができ、本発明の回し車を利用する飼い主の安心を得ることができる。また、本発明の回し車では、ハムスター等の小動物は、回し車本体の両側から自由に乗り降りできるので、活発な運動が可能となる。
さらに、本発明の回し車では、回し車本体の縁部に形成したレールが支持ローラに対するレールとして機能すると共に、支持ローラとガイド又は外側ローラとの協動作用により、確実で、振れのない回転とすることができる。
【図面の簡単な説明】
図１は、本発明の第１実施形態における回し車の側面図である。
図２は、図１に示す線Ｉ−Ｉ’において切られた回し車の断面図である。
図３は、図１の回し車の上面図である。
図４は、本発明の第２実施形態における回し車の側面図である。
図５は、図４に示す線ＩＩ−ＩＩ’において切られた回し車の断面図である。
図６は、図４の回し車の上面図である。
図７は、本発明の第３実施形態における回し車の斜視図である。
図８は、本発明の第４実施形態における回し車の側面図である。
図９は、図８に示す線ＩＩＩ−ＩＩＩ’において切られた回し車の断面図である。
図１０は、図８の回し車の上面図である。
図１１は、従来の回し車の斜視図である。
【図１】
2003056908.tif 000003
【図２】
2003056908.tif 000004
【図３】
2003056908.tif 000005
【図４】
2003056908.tif 000006
【図５】
2003056908.tif 000007
【図６】
2003056908.tif 000008
【図７】
2003056908.tif 000009
【図８】
2003056908.tif 000010
【図９】
2003056908.tif 000011
【図１０】
2003056908.tif 000012
【図１１】
2003056908.tif 000013
【国際調査報告】
2003056908.tif 000014
2003056908.tif 000015